(57)【要約】【課題】高視認性安全服のデザインの識別性を確保するために、インターネット等のネットワークを利用して、高視認性安全服のデザインを一元的に管理できるようにする。【解決手段】サーバ１００は、高視認性安全服の生地及び反射材の配置パターン１と、生地の色及び反射材の種類との組み合わせによる高視認性安全服のデザインについて、ユーザがユーザ端末３００からネットワーク２００を介して設定したデザインをデータベース１０２に登録して管理する。配置パターン１は、縦バーをその長手方向に５つに区分けして表され、上から１番目のエリア１−１、３番目のエリア１−３及び５番目のエリア１−５が生地を表し、２番目のエリア１−２及び４番目のエリア１−４が反射材を表す。ユーザは、エリア１−１、１−３及びエリア１−５で表される生地の色を設定し、また、エリア１−２及びエリア１−４で表される反射材の種類を設定することができる。【選択図】図１
2014234573.tif 000002
【特許請求の範囲】
【請求項１】
ユーザ端末からネットワークを介してアクセス可能な高視認性安全服のデザイン管理装置であって、
高視認性安全服の生地及び反射材の配置パターンと、前記生地の色及び前記反射材の種類との組み合わせによる高視認性安全服のデザインについて、ユーザが前記ユーザ端末からネットワークを介して設定したデザインを登録して管理する管理手段を備えたことを特徴とする高視認性安全服のデザイン管理装置。
【請求項２】
前記管理手段は、管理するデザインに、ユーザの情報と、高視認性安全服を使用する産業部類及び使用する地域のうち少なくともいずれか一方とを関連付けることを特徴とする請求項１に記載の高視認性安全服のデザイン管理装置。
【請求項３】
前記管理手段で管理するデザインをネットワークを介して公開する公開手段を備えたことを特徴とする請求項１又は２に記載の高視認性安全服のデザイン管理装置。
【請求項４】
前記配置パターンは、縦バーをその長手方向に５つに区分けして表され、上から１番目のエリア、３番目のエリア及び５番目のエリアが生地を表し、２番目のエリア及び４番目のエリアが反射材を表すことを特徴とする請求項１乃至３のいずれか１項に記載の高視認性安全服のデザイン管理装置。
【請求項５】
ユーザ端末からネットワークを介してアクセス可能なサーバによる高視認性安全服のデザイン管理方法であって、
前記サーバが、高視認性安全服の生地及び反射材の配置パターンと、前記生地の色及び前記反射材の種類との組み合わせによる高視認性安全服のデザインについて、ユーザが前記ユーザ端末からネットワークを介して設定したデザインを登録して管理することを特徴とする高視認性安全服のデザイン管理方法。
【請求項６】
ユーザ端末からネットワークを介してアクセス可能な高視認性安全服のデザイン管理装置を制御するためのプログラムであって、
高視認性安全服の生地及び反射材の配置パターンと、前記生地の色及び前記反射材の種類との組み合わせによる高視認性安全服のデザインについて、ユーザが前記ユーザ端末からネットワークを介してデザインを登録して管理する管理手段としてコンピュータを機能させるためのプログラム。
【発明の詳細な説明】
【技術分野】
【０００１】
本発明は、高視認性安全服のデザインを管理するのに利用して好適な高視認性安全服のデザイン管理装置、方法及びプログラムに関する。
【背景技術】
【０００２】
高視認性安全服（高視認性衣服とも呼ばれる）とは、再帰性反射材を設けた衣服であり、視認性を確保するために作業者等が着用する（例えば特許文献１を参照）。
高視認性安全服は、視認性を確保することを目的とするものであり、その生地には主に蛍光イエロー、蛍光オレンジ、蛍光レッドのような明るい色が使用され、そこに再帰性反射材を配した特殊な衣服である。
【先行技術文献】
【特許文献】
【０００３】
【特許文献１】実用新案登録第３１８０３６９号公報
【発明の概要】
【発明が解決しようとする課題】
【０００４】
上述のように高視認性安全服は特殊な衣服であるがゆえに、デザインによる職業等の識別が困難になるおそれがある。例えば警察と警備会社が良く似たデザインの高視認性安全服を採用すると、その識別が困難になる等の混乱を招きかねない。
特に２０１３年３月にＩＳＯ２０４７１「High visibility clothing-Test methods and requirements」が発行されている。実質の法人が２００万社ある我が国において、雇用側は従業員の安全を考慮してＩＳＯ２０４７１規格を採用することが増加することは容易に想像される。その一方で、法人に対して高視認性安全服を提供する者も多数存在し、それぞれが規格だけを頼りに製品を提供していくと、例えば警察と警備会社で良く似たデザインの高視認性安全服が採用されて、その識別が困難になる等の混乱を招きかねない。
【０００５】
本発明は上記のような点に鑑みてなされたものであり、高視認性安全服のデザインの識別性を確保するために、インターネット等のネットワークを利用して、高視認性安全服のデザインを一元的に管理できるようにすることを目的とする。
【課題を解決するための手段】
【０００６】
本発明の高視認性安全服のデザイン管理装置は、ユーザ端末からネットワークを介してアクセス可能な高視認性安全服のデザイン管理装置であって、高視認性安全服の生地及び反射材の配置パターンと、前記生地の色及び前記反射材の種類との組み合わせによる高視認性安全服のデザインについて、ユーザが前記ユーザ端末からネットワークを介して設定したデザインを登録して管理する管理手段を備えたことを特徴とする。
また、本発明の高視認性安全服のデザイン管理装置の他の特徴とするところは、前記管理手段は、管理するデザインに、ユーザの情報と、高視認性安全服を使用する産業部類及び使用する地域のうち少なくともいずれか一方とを関連付ける点にある。
また、本発明の高視認性安全服のデザイン管理装置の他の特徴とするところは、前記管理手段で管理するデザインをネットワークを介して公開する公開手段を備えた点にある。
また、本発明の高視認性安全服のデザイン管理装置の他の特徴とするところは、前記配置パターンは、縦バーをその長手方向に５つに区分けして表され、上から１番目のエリア、３番目のエリア及び５番目のエリアが生地を表し、２番目のエリア及び４番目のエリアが反射材を表す点にある。
本発明の高視認性安全服のデザイン管理方法は、ユーザ端末からネットワークを介してアクセス可能なサーバによる高視認性安全服のデザイン管理方法であって、前記サーバが、高視認性安全服の生地及び反射材の配置パターンと、前記生地の色及び前記反射材の種類との組み合わせによる高視認性安全服のデザインについて、ユーザが前記ユーザ端末からネットワークを介して設定したデザインを登録して管理することを特徴とする。
本発明のプログラムは、ユーザ端末からネットワークを介してアクセス可能な高視認性安全服のデザイン管理装置を制御するためのプログラムであって、高視認性安全服の生地及び反射材の配置パターンと、前記生地の色及び前記反射材の種類との組み合わせによる高視認性安全服のデザインについて、ユーザが前記ユーザ端末からネットワークを介してデザインを登録して管理する管理手段としてコンピュータを機能させる。
【発明の効果】
【０００７】
本発明によれば、インターネット等のネットワークを利用して、高視認性安全服のデザインを一元的に管理することができる。これにより、高視認性安全服のデザインの識別性を確保することができ、職業等の識別が困難になるのを避けることができる。
【図面の簡単な説明】
【０００８】
【図１】本発明を適用した高視認性安全服のデザイン管理のためのネットワークシステムの構成を示す図である。
【図２】高視認性安全服の生地及び反射材の配置パターンを説明するための図である。
【図３】産業部類選択画面を示す図である。
【図４】デザイン種別選択画面を示す図である。
【図５】ベースカラー選択画面を示す図である。
【図６】デザイン設定画面を示す図である。
【図７Ａ】確認画面を示す図である。
【図７Ｂ】確認画面を示す図である。
【図８】入力画面を示す図である。
【図９】最終確認画面を示す図である。
【図１０】登録結果表示画面を示す図である。
【図１１】ベースカラー選択画面を示す図である。
【図１２】デザイン設定画面を示す図である。
【図１３】確認画面を示す図である。
【発明を実施するための形態】
【０００９】
以下、添付図面を参照して、本発明の好適な実施形態について説明する。
図１に、本発明を適用した高視認性安全服のデザイン管理のためのネットワークシステムの構成を示す。
１００はサーバであり、本発明を適用した高視認性安全服のデザイン管理装置として機能する。サーバ１００は、例えばＣＰＵ、ＲＯＭ、ＲＡＭ等を備えたコンピュータ装置により実現される。なお、サーバ１００を単一のコンピュータ装置のように図示しているが、複数のコンピュータ装置により構成されるようにしてもよい。
２００はインターネット等のネットワークである。
３００はユーザ端末であり、ネットワーク２００を介してサーバ１００にアクセスすることができる。ユーザ端末３００は、ディスプレイ３０１と、キーボードやポインティングデバイス等の入力装置３０２とを備える。ユーザ端末３００は、例えばＣＰＵ、ＲＯＭ、ＲＡＭ等を備えたコンピュータ装置により実現される。
【００１０】
サーバ１００は、高視認性安全服の生地及び反射材の配置パターン１と、生地の色及び反射材の種類との組み合わせによる高視認性安全服のデザインについて、ユーザがユーザ端末３００からネットワーク２００を介して設定したデザインをデータベース１０２に登録して管理する管理部１０１を備える。
ここで、図２に示すように、配置パターン１は、縦バーをその長手方向に５つに区分けして表され、上から１番目のエリア１−１、３番目のエリア１−３及び５番目のエリア１−５が生地を表し、２番目のエリア１−２及び４番目のエリア１−４が反射材を表す。サーバ１００で管理する高視認性安全服は、上着及びズボンのいずれもこの配置パターン１で規格化されたものであって、ＩＳＯ２０４７１規格に準拠したものとなる。詳しく説明すれば、上着については、胴まわりに（袖がある場合は腕まわりにも）２本の帯状の反射材が配されたものであり、配置パターン１で表すことができる。ズボンについても、脚まわりに２本の帯状の反射材が配されたものであり、配置パターン１で表すことができる。
ユーザは、ユーザ端末３００からネットワーク２００を介してサーバ１００にアクセスすることにより、配置パターン１のエリア１−１、１−３及びエリア１−５で表される生地の色を設定し、また、エリア１−２及びエリア１−４で表される反射材の種類を設定して登録することができる。
【００１１】
サーバ１００は、管理部１０１で管理するデザインに、ユーザの情報と、高視認性安全服を使用する産業部類及び使用する地域（対象区域）とを関連付ける。
【００１２】
また、サーバ１００は、管理部１０１で管理するデザインをネットワーク２００を介して公開する公開部１０３を備える。ユーザは、ユーザ端末３００からネットワーク２００を介してサーバ１００にアクセスすることにより、サーバ１００で管理されているデザインを閲覧することができる。また、ユーザがデザインを設定して登録する際に、同じデザインが登録済みであれば、その旨が提示されるようになっている。
【００１３】
以下、図３〜図１３を参照して、ユーザが高視認性安全服のデザインを設定して登録するまでの流れを説明する。図３〜図１３は、ユーザ端末３００からネットワーク２００を介してサーバ１００にアクセスすることにより、該ユーザ端末３００のディスプレイ３０１に表示される画面の例を示す。
図３に示す産業部類選択画面では、ユーザが登録しようとしている高視認性安全服を使用する産業部類を選択する。産業部類を選択した後、次の画面へボタン３１を押下すると、図４に示すデザイン種別選択画面に遷移する。
【００１４】
図４に示すデザイン種別選択画面では、ユーザが汎用デザインを登録するか、オリジナルデザインを登録するかを選択する。
汎用デザインとは、生地の色及び反射材の種類を予め定められた汎用パターンとするものである。汎用デザインでは、先に登録されたデザインと同じデザインについても登録できるようになっている。
それに対して、オリジナルデザインとは、生地の色及び反射材の種類をユーザが設定するものである。オリジナルデザインでは、高視認性安全服のデザインの識別性を確保するために、先に登録されたデザインと同じデザインについては、以後、原則的に他者は登録できないようになっている。
【００１５】
図４に示すデザイン種別選択画面でオリジナルデザインを選択した後、次の画面へボタン４１を押下すると、図５に示すベースカラー選択画面に遷移する。
図５に示すベースカラー選択画面では、ユーザがベースカラーを選択する。オリジナルデザインにおけるベースカラーとは、配置パターン１のエリア１−１で表される生地の色をいう。ベースカラーとして、ＩＳＯ２０４７１で規定されている蛍光レッド５１、蛍光オレンジ５２、蛍光イエロー５３を選択できるようになっている。また、これら蛍光レッド、蛍光オレンジ、蛍光イエロー以外の他の色５４を選択できるようにもなっている。ベースカラーを選択した後、次の画面へボタン５５を押下すると、図６に示すデザイン設定画面に遷移する。なお、図６では、図５に示すベースカラー選択画面で蛍光イエロー５３を選択して入力したときのデザイン設定画面を示す。
【００１６】
図６に示すデザイン設定画面では、ユーザが配置パターン１のエリア１−３及びエリア１−５で表される生地の色を設定し、また、エリア１−２及びエリア１−４で表される反射材の種類を設定する。エリア１−３及びエリア１−５で表される生地の色として、ＩＳＯ２０４７１で規定されている蛍光レッドＦＲＤ、蛍光オレンジＦＯＲ、蛍光イエローＦＹＬを選択できるようになっている。また、これら蛍光レッドＦＲＤ、蛍光オレンジＦＯＲ、蛍光イエローＦＹＬ以外の他の色（１）ＯＴ１、他の色（２）ＯＴ２を選択できるようにもなっている（符号６１、６２を参照）。また、エリア１−２及びエリア１−４で表される反射材の種類として、ホワイトの反射材ＷＨ、イエローの反射材ＹＬ、ビーズ式反射材（シルバー）ＢＳＶ、プリズム式反射材（シルバー）ＰＳＶ、市松模様の反射材（ブルー）ＣＢＬ、市松模様の反射材（グリーン）ＣＧＮ、市松模様の反射材（レッド）ＣＲＤを選択できるようになっている（符号６３、６４を参照）。
また、図６に示すデザイン設定画面では、ベスト、ジャケット、防寒、パンツといったアイテムを選択する。
プレビュー部６５には、高視認性安全服の画像（ベスト、ジャケット、防寒、パンツのうち選択したもののイメージ画像）が表示され、その画像に、設定するデザインを合わせたイメージ画像６６が表示される。
デザインの設定後、次の画面へボタン６７を押下すると、図７Ａ又は図７Ｂに示す確認画面に遷移する。
【００１７】
図７Ａは、図６に示すデザイン設定画面で設定したデザインと同じデザインが登録済みであったときに表示される確認画面である。図７Ａに示すように、高視認性安全服の画像に、設定したデザインを合わせたイメージ画像７１が表示されるとともに、同じデザインを登録済みのユーザの情報、産業部類及び対象区域７２が表示される。本実施形態では、同じデザインでも、産業部類が大きく異なっていれば、登録を認めるようにしている。すなわち、警察と警備会社のように良く似たデザインの高視認性安全服を採用するとその識別が困難になるような産業部類では同じデザインの登録は認めないが、識別が困難にならないと考えられる産業部類間では同じデザインの登録を認める。また、同じデザインでも、対象区域が異なっていれば、登録を認めるようにしている。ユーザは、新しいデザインを組み直すときはボタン７３を押下し、このデザインで承認されるか否かを確認する場合はボタン７４を押下する。
【００１８】
図７Ｂは、図６に示すデザイン設定画面で設定するデザインと同じデザインが登録済みでなかったときに表示される確認画面である。図７Ｂに示すように、高視認性安全服の画像に、設定したデザインを合わせたイメージ画像７１が表示されるとともに、オプションを選択できるようになっている。オプションとしては、該高視認性安全服のデザイン管理サービスを提供している者が提供できる他のサービスが挙げられる。確認後、申請ボタン７５を押下すると、図８に示す入力画面に遷移する。
【００１９】
図８に示す入力画面では、ユーザが自身の情報、具体的には会社名、住所、連絡先等を入力する。また、分類の欄には、図３に示す産業部類選択画面において入力した産業部類が反映される。また、対象区域を限定したい場合も、この入力画面で設定する。入力後、次の画面へボタン８１を押下すると、図９に示す最終確認画面に遷移する。
【００２０】
図９に示す最終確認画面で内容を確認後、送信ボタン９１を押下すると、デザインの登録が完了して、図１０に示す登録結果表示画面に遷移する。図１０に示すように、高視認性安全服の画像に、設定したデザインを合わせたイメージ画像１０４が表示されるとともに、産業部類、登録日、企業名、対象区域等が表示される。
【００２１】
一方、図４に示すデザイン種別選択画面で汎用デザインを選択した後、次の画面へボタン４１を押下すると、図１１に示すベースカラー選択画面に遷移する。
図１１に示すベースカラー選択画面では、ユーザがベースカラーを選択する。汎用デザインでは単色の生地を用いるものとしており、汎用デザインにおけるベースカラーとは、配置パターン１のエリア１−１、１−３及び１−５で表される生地の色をいう。ベースカラーとして、ＩＳＯ２０４７１で規定されている蛍光レッド１１１、蛍光オレンジ１１２、蛍光イエロー１１３を選択できるようになっており、それ以外の色は設定できない。ベースカラーを選択した後、次の画面へボタン１１４を押下すると、図１２に示すデザイン設定画面に遷移する。なお、図１２では、図１１のベースカラー選択画面で蛍光イエロー１１３を選択して入力したときのデザイン設定画面を示す。
【００２２】
図１２に示すデザイン設定画面では、ユーザがエリア１−２及びエリア１−４で表される反射材の種類を設定する。エリア１−２及びエリア１−４で表される反射材の種類として、ホワイトの反射材ＷＨ、イエローの反射材ＹＬ、ビーズ式反射材（シルバー）ＢＳＶ、プリズム式反射材（シルバー）ＰＳＶを選択できるようになっており（符号１２１を参照）、市松模様の反射材は設定できない。
また、図１２に示すデザイン設定画面では、ベスト、ジャケット、防寒、パンツといったアイテムを選択する。
プレビュー部１２２には、高視認性安全服の画像（ベスト、ジャケット、防寒、パンツのうち選択したもののイメージ画像）が表示され、その画像に、設定するデザインを合わせたイメージ画像１２３が表示される。
デザインの設定後、次の画面へボタン１２４を押下すると、図１３に示す確認画面に遷移する。
【００２３】
図１３に示す確認画面では、高視認性安全服の画像に、設定したデザインを合わせたイメージ画像１３１が表示されるとともに、オプションを選択できるようになっている。既述したように、汎用デザインでは、先に登録されたデザインと同じデザインについても登録できるようになっている。確認後、申請ボタン１３２を押下すると、入力画面に遷移するが、以降の入力画面、最終確認画面、登録結果表示画面はオリジナルデザインの場合と同様であり、ここではその説明を省略する。
【００２４】
ここまでは、ユーザが高視認性安全服のデザインを設定して登録するまでの流れを説明したが、ユーザは、ユーザ端末３００からネットワーク２００を介してサーバ１００にアクセスすることにより、サーバ１００で管理されているデザインを単に閲覧することもできる。これにより、高視認性安全服のデザインを検討するにあたって、他者のデザインを参照することができる。
【００２５】
以上述べたように、インターネット等のネットワーク２００を利用して、サーバ１０１において高視認性安全服のデザインを一元的に管理することができる。これにより、高視認性安全服のデザインの識別性を確保することができ、職業等の識別が困難になるのを避けることができる。例えば警察と警備会社で良く似たデザインの高視認性安全服が採用されるのを防ぐことができる。
【００２６】
以上、本発明を種々の実施形態と共に説明したが、本発明はこれらの実施形態にのみ限定されるものではなく、本発明の範囲内で変更等が可能である。例えば上記実施形態では１種類の配置パターン１だけを示したが、ＩＳＯ２０４７１規格に準拠する高視認性安全服を表すものであれば他の配置パターンがあってもかまわない。
また、本発明は、高視認性安全服のデザイン管理装置としての機能を実現するソフトウェア（プログラム）を、ネットワーク又は各種記憶媒体を介してシステム或いは装置に供給し、そのシステム或いは装置のコンピュータがプログラムを読み出して実行することによっても実現可能である。
【符号の説明】
【００２７】
１００：サーバ、１０１：管理部、１０２：データベース、１０３：公開部、２００：ネットワーク、３００：ユーザ端末、３０１：ディスプレイ、３０２：入力装置
【図１】
2014234573.tif 000003
【図２】
2014234573.tif 000004
【図３】
2014234573.tif 000005
【図４】
2014234573.tif 000006
【図５】
2014234573.tif 000007
【図６】
2014234573.tif 000008
【図７Ａ】
2014234573.tif 000009
【図７Ｂ】
2014234573.tif 000010
【図８】
2014234573.tif 000011
【図９】
2014234573.tif 000012
【図１０】
2014234573.tif 000013
【図１１】
2014234573.tif 000014
【図１２】
2014234573.tif 000015
【図１３】
2014234573.tif 000016